(57)【特許請求の範囲】
【請求項１】
複数の脚辺部から組み立てられた、配電盤キャビネットのための枠組みであって、前記脚辺部のうちの、水平方向に向けられた４つの脚辺部が下側の枠を形成し、これらの脚辺部が、互いに向き合う鉛直な内側の成形側部と、これらの内側の成形側部に続く水平な下側の成形側部とを有していて、さらに、これらの脚辺部が底薄板のための載設成形材と結合されている形式のものにおいて、
載設成形材（３１，３２，３３，３４）が底枠（３０）を形成していて、該底枠（３０）上に下側の枠（１１）が載せられるようになっており、
載設成形材（３１，３２，３３，３４）が直立する固定舌片（５０，５２）を支持しており、これらの固定舌片（５１，５２）が、下側の枠（１１）の互いに向き合う脚辺部（１２，１３，１４，１５）の水平な下側の成形側部に形成された固定舌片受容部（２６）内に導入されて、下側の枠（１１）の脚辺部（１２，１３，１４，１５）の鉛直な内側の成形側部（２１）の内壁に当接するようになっており、
底枠（３０）の載設成形材（３１，３２，３３，３４）の固定舌片（５０，５２）が下側の枠（１１）の内側の成形側部（２１）にねじ固定されている、配電盤キャビネットのための枠組。
【請求項２】
固定舌片（５０，５２）がねじ孔（５１，５３）を備えていて、下側の枠（１１）の脚辺部（１２，１３，１４，１５）の内側の成形側部（２１）が、前記ねじ孔（５１，５３）に合致する固定ねじ受容部（２７）を備えており、この固定ねじ受容部（２７）を通して固定ねじ（２５）が前記ねじ孔（５１，５３）にねじ込まれるようになっている、請求項１記載の枠組み。
【請求項３】
底枠（３０）の各角隅領域にそれぞれ２つの固定舌片（５０，５２）が設けられていて、これらの固定舌片は、角隅領域で互いに直角に突き当たる、下側の枠（１１）の水平な脚辺部（１２，１３；１３，１４；１４，１５；１５，１２）に結合されており、この場合、これらの固定舌片（５０，５２）は互いに直角に配置されていて、互いに隣接する脚辺部（１２，１３若しくは１３，１４若しくは１４，１５若しくは１５，１２）の内側の成形側部（２１）に整列されている、請求項１又は２記載の枠組み。
【請求項４】
底枠（３０）が配電盤キャビネット台に固定されている、請求項１から３までのいずれか１項記載の枠組み。
【請求項５】
底枠（３０）が、４つの載設成形材区分（３１，３２，３３，３４）と４つの角隅部材（４０）とから組み立てられており、固定舌片（５０，５２）を有する継ぎ足しプレート（４８，４９）が、それぞれ底枠（３０）の角隅領域内で互いに突き合わされた載設成形区分（３１，３２若しくは３２，３３若しくは３３，３４若しくは３４，３１）を覆うとともに角隅部材（４０）のベース（４１）上に載っている、請求項１から４までのいずれか１項記載の枠組み。
【請求項６】
継ぎ足しプレート（４８，４９）が、角隅部材（４０）のベース（４１）に対して、下側の枠（１１）に向かって、載設成形材区分（３１，３２，３３，３４）の壁厚の分だけ上方にずれていて、固定舌片（５０，５２）から、底枠（３０）の載設縁部（３６）に向かって延びている、請求項５記載の枠組み。
【請求項７】
角隅部材（４０）が、底枠（３０）の直立する外側縁部（３５）の部分である外側縁部部材（４３，４４）を備えている、請求項５又は６記載の枠組み。
【請求項８】
角隅部材（４０）の外側縁部部材（４３，４４）と、底枠（３０）の載設成形材区分（３１，３２，３３，３４）の外側縁部（３５）とが、枠組み（１０）の下側の枠（１１）を載せるための載設面を形成している、請求項５から７までのいずれか１項記載の枠組み。
【請求項９】
固定舌片（５０，５２）が、下側の水平に延びる脚辺部（１２，１３，１４，１５）の内側の成形側部（２１）の壁厚だけ、角隅部材（４０）の継ぎ足しプレート（４８，４９）で、底枠（３０）の外側縁部（３５，４３，４４）に向かってずらされている、請求項５から８までのいずれか１項記載の枠組み。
【請求項１０】
継ぎ足しプレート（４８，４９）の、角隅部材（４０）上に配置された部分領域（４５）が、下方に折り曲げられた折り曲げ縁部（４６）によって隆起して、角隅部材（４０）上に載っている、請求項５から９までのいずれか１項記載の枠組み。
【請求項１１】
角隅部材（４０）のベース（４１）と部分領域（４５）とに、それぞれ固定孔（４２，４７）が設けられている、請求項１０記載の枠組み。
【発明の詳細な説明】
【０００１】
【発明の属する技術分野】
本発明は、複数の脚辺部から組み立てられた、配電盤キャビネットのための枠組みであって、前記脚辺部のうちの、水平方向に向けられた４つの脚辺部が下側の枠を形成し、これらの脚辺部が、互いに向き合う鉛直な内側の成形側部と、これらの内側の成形側部に続く水平な下側の成形側部とを有していて、さらに、これらの脚辺部がこの枠が底薄板のための載設成形材と結合されている形式のものに関する。
【０００２】
【従来の技術】
このような形式の枠組みは、ドイツ連邦共和国特許第３３４４５９８号明細書により公知である。この場合、下側の枠に、別個の載設成形材がねじ固定されており、この載設成形材上に、枠組みの開放した下側を閉鎖する底薄板（金属薄板製の底;Bodenblech)が載せられる。この載設成形材は、少なくとも下側の枠の互いに向き合う２つの脚辺部上に延びていて、これらの脚辺部に固定されており、この場合、載設成形材は、脚辺部における取り付け可能性を一方方向で妨げる。脚辺部は、互いに直角に位置する、枠組みの内側縁部を形成する２つの固定成形側部で、システム固定受容部の列を有しており、これらのシステム固定受容部は、載設成形材を取り付けた後で一部が覆われるので、もはや接近（若しくはアクセス）できなくなる。
【０００３】
【発明が解決しようとする課題】
そこで本発明の課題は、冒頭に述べた形式の枠組みにおいて、底薄板のための載設成形材を、下側の枠の脚辺部に取り付ける可能性を妨げることがないように、取り付けることができるようにすることである。
【０００４】
【課題を解決するための手段】
この課題を解決した本発明によれば、載設成形材が底枠を形成していて、該底枠上に下側の枠が載せられるようになっており、載設成形材が直立する固定舌片を支持しており、これらの固定舌片が、下側の枠の互いに向き合う脚辺部の水平な下側の成形側部に形成された固定舌片受容部内に導入されて、下側の枠の脚辺部の鉛直な内側の成形側部の内壁に当接するようになっており、底枠の載設成形材の固定舌片が下側の枠の内側の成形側部にねじ固定されている。
【０００５】
【発明の効果】
前組立された底枠は、簡単な形式で枠組みに取り付けられていて、この場合、配電盤キャビネット台を備えた配電盤キャビネットにおいて、配電盤キャビネット台と枠組みの下側の枠との間に簡単に配置することができる。列状に配置されたシステム固定受容部を備え、枠組みの内側縁部を形成する、脚辺部の２つの成形側部は、完全に接近可能若しくはアクセス可能で、組み付け部分を取り付けるために使用することができる。
【０００６】
底枠と枠とを結合するために、本発明の別の構成要件によれば、固定舌片がねじ孔を備えていて、下側の枠の脚辺部の内側の成形側部が、前記ねじ孔に合致する固定ねじ受容部を備えており、この固定ねじ受容部を通して固定ねじが前記ねじ孔にねじ込まれるようになっている。
【０００７】
枠組みに底枠を明確に固定することは、底枠の各角隅領域にそれぞれ２つの固定舌片が設けられていて、これらの固定舌片は、角隅領域で互いに直角に突き当たる、下側の枠の水平な脚辺部に結合されており、この場合、これらの固定舌片は互いに直角に位置していて、互いに隣接する脚辺部の内側の成形側部に整列されている、ことによって得られる。
【０００９】
本発明の有利な構成要件によれば、底枠が、４つの載設成形材区分と４つの角隅部材とから組み立てられており、固定舌片を有する継ぎ足しプレートが、それぞれ底枠の角隅領域内で互いに突き合わされた載設成形区分を覆うとともに角隅部材のベース上に載っている。
【００１０】
載設成形材区分は、複数の区分に分けられていて、一体的な角隅部材と共に、所望の寸法の底枠に組み立てられている。この場合、固定舌片を、水平方向に移動せしめられる脚辺部の端部領域にずらすために、継ぎ足しプレートは、角隅部材のベースに対して、下側の枠に向かって、載設成形材区分の壁厚の分だけ上方にずれていて、固定舌片から、底枠の載設縁部に向かって延びている。
【００１１】
枠組みを下側の枠と共に底枠内に堅密に載せることができるようにするために、角隅部材が、底枠の直立する外側縁部の部分である外側縁部部材備えており、また角隅部材の外側縁部部材と、底枠の載設成形材区分の外側縁部とが、枠組みの下側の枠を載せるための載設面を形成している。
【００１２】
さらにまた、固定舌片が、下側の水平に延びる脚辺部の内側の成形側部の壁厚だけ、角隅部材の継ぎ足しプレートで、底枠の外側縁部に向かってずらされており、これによって、継ぎ足しプレートは、脚辺部の切欠内に導入することができるようにするために、固定舌片の領域内だけが脚辺部の領域内に延びる。
【００１３】
継ぎ足しプレートを、角隅部材のベースに対して容易に上方にずらすことができるようにするために、継ぎ足しプレートの、角隅部材上に配置された部分領域が、下方に折り曲げられた折り曲げ縁部によって隆起して、角隅部材上に載っている。
【００１４】
底枠を配電盤キャビネット台に固定するために、本発明の別の構成要件によれば、角隅部材のベースと、上方に折り曲げられた（隆起した）部分領域とに、それぞれ固定孔が設けられている。
【００１５】
【発明の実施の形態】
次に本発明の実施の形態を図面に示した実施例を用いて詳しく説明する。
【００１６】
配電盤キャビネットの枠組み１０のうち、図１では、下側の枠１１を備えた下側の部分だけが示されており、この下側の部分は、水平方向に向けられた脚辺部１２，１３，１４，１５から形成されている。枠１１の角隅領域には、鉛直方向に延びる脚辺部１６，１７，１８，１９が取り付けられており、これらの脚辺部の上端部は、上側の枠（図示せず）に結合されている。
【００１７】
４つの載設成形材区分３１，３２，３３，３４と４つの角隅部材４０とから、底枠３０が形成されており、この底枠３０は、枠組み１０の下側の枠１１に固定されていて、（図示していない）配電盤キャビネット台(Schaltschranksockel)と枠組み１０との間に位置している。
【００１８】
図１及び図２に示されているように、脚辺部１２，１３，１４，１５の、互いに直角に位置し合う成形側部２０，２１は、枠組み１０の内側縁部２２を形成していて、システム固定ねじ受容部２４の列を備えている。鉛直方向に向けられた内側の成形側部２１は、その下側縁部２３及びそれに続く成形側部（図示せず）の領域で、固定舌片受容部としての切欠２６を有しており、この切欠２６の幅は、固定舌片５０及び５２の幅に合わされている。これらの固定舌片５０，５２は、底枠３０で上方に突き出ていて、切欠２６と同じ位置に配置されており、それによって固定舌片５０，５２は切欠２６内に導入することができる。この場合、固定舌片５０，５２は、鉛直な内側の成形側部２１の内壁に当接して、この内側の成形側部２１にねじ固定される。このために、固定舌片５０及び５２にねじ孔５１，５３が形成されていて、これらのねじ孔５１，５３は、内側の成形側部２１に形成された固定ねじ受容部２７と合致している。従って、固定ねじ２５は、固定ねじ受容部２７内に挿入され、次いでねじ孔５１及び５３内にねじ込まれるようになっている。この場合、脚辺部１２，１３，１４，１５の成形側部２０，２１のシステム固定ねじ受容部２４の列が、自由に接近可能若しくはアクセス可能に維持され、妨げられることなく組み付け部材を取り付けるために使用することができる。
【００１９】
図３に示されているように、角隅部材４０は、載設成形材区分３１，３２，３３，３４と同様に、折り曲げられた外側縁部部材４３及び４４を備えており、これによって、載設成形材区分３１，３２，３３，３４の外側縁部３５が補完されて、底枠３０の全周に亙って延びるようになっている。角隅部材４０のベース４１は、互いに突き合わされている載設成形材区分例えば３１及び３４に接続されている。載設成形材区分３１，３２，３３，３４のＬ字形の載設縁部３６は、互いに直接突き合わされていて、底薄板（金属薄板製の底）のための内方にずらされた載設枠を形成する。この載設枠は、下側の枠１１で枠組み１０の内側スペースに向かって突き出ている。角隅部材４０は、継ぎ足しプレート４８及び４９によって、互いに突き合わされた載設成形材区分例えば３１及び３４の端部を覆う。しかしながら継ぎ足しプレート４８及び４９は、載設成形材区分３１，３２，３３，３４の壁厚の分だけ上方にずれているので、ベース上に載って、このベースと結合することができる。これらの継ぎ足しプレート４８及び４９は、脚辺部１２及び１５を固定するための固定舌片５０及び５２を有している。また継ぎ足しプレート４８，４９は、これらの固定舌片５０及び５２から、互いに向き合う載設成形材区分３１及び３４の載設縁部３６に向かって延びている。
【００２０】
固定舌片５０及び５２は、継ぎ足しプレート４８及び４９の互いに向き合う縁部で、少なくとも脚辺部１２乃至１５の成形側部２１の壁厚分だけ突き出ているので、継ぎ足しプレート４８及び４９は、成形側部２１まで達しない。継ぎ足しプレート４８及び４９は、角隅部材４０のベース４１の部分領域４５内に延びていて、この部分領域４５で上方にずらされている（折り曲げ縁部４６で分かる）。これによって、載設成形材区分３１，３２，３３，３４の外側縁部３５と、角隅部材４０の外側縁部部材４３及び４４とによって、固定舌片５０及び５２の向き合う外側に対して、枠組み１０の下側の枠１１のための、周囲を巡って延びる受容面が形成されるので、枠組み１０は底枠３０内でしっかりと保持されて起立する。ベース４１及び、角隅部材４０の隆起した部分領域４５には、固定孔４２，４７が設けられており、これらの固定孔４２，４７は、底枠３０を配電盤台に結合するために使用することができる。
【００２１】
角隅部材４０は、打ち抜き・曲げ成形部材として一体的に安価に製造し、載設成形材区分３１，３２，３３，３４と溶接することができる。
【図面の簡単な説明】
【図１】枠組みの下側の枠と結合可能な、底薄板を載設及び固定するための底枠の分解した斜視図である。
【図２】枠組みの角隅領域の拡大した部分的な斜視図である。
【図３】底枠の角隅領域の拡大した部分的な斜視図である。
【符号の説明】
１０  枠組み、  １１  枠、  １２，１３，１４，１５，１６，１７，１８，１９  脚辺部、  ２０，２１  成形側部、  ２２  内側縁部、  ２３  下側縁部、  ２４  システム固定ねじ受容部、  ２６  固定舌片受容部、  切欠、  ２７  固定ねじ受容部、  ３０  底枠、  ３１，３２，３３，３４  載設成形材区分、  ３５  外側縁部、  ３６  載設縁部、  ４０  角隅部材、  ４１  ベース、  ４２，４７  固定孔、  ４３，４４  外側縁部部材、  ４８，４９  継ぎ足しプレート、  ５０，５２  固定舌片、  ５１，５３  ねじ孔、  ４５  部分領域
【図１】
0003549763.tif 000002
【図２】
0003549763.tif 000003
【図３】
0003549763.tif 000004